(57)【要約】【課題】商品表示具が商品陳列棚から抜け落ちないように商品陳列棚の棚板の溝に支持片を挿入し固定することができる商品表示具を提供することを目的とする。【解決手段】上面の前端近傍に幅方向に延びる溝４２が形成された商品陳列棚３８の棚板４０の該溝４２に下方に向けて端部を有する支持片１８の該端部が挿入されることによって前記商品陳列棚３８に固定される商品表示具１０において、前記支持片１８の前記溝４２に挿入される部分の後方側には、支持片１８の素材よりも軟質な素材から構成された突起２０が形成されていることを特徴とする商品表示具である。【選択図】図２
2011115616.tif 000002
【特許請求の範囲】
【請求項１】
上面の前端近傍に幅方向に延びる溝が形成された商品陳列棚の棚板の該溝に下方に向けて端部を有する支持片の該端部が挿入されることによって前記商品陳列棚に固定される商品表示具において、
前記支持片の前記溝に挿入される部分の後方側には、支持片の素材よりも軟質な素材から構成された突起が形成されていることを特徴とする商品表示具。
【請求項２】
前記突起は、下方に向かって先細りとなるテーパ面を有することを特徴とする請求項１記載の商品表示具。
【請求項３】
前記突起は、前記溝の壁面によって押圧された状態で前記支持片が挿入されるよう構成されていることを特徴とする請求項１又は２記載の商品表示具。
【発明の詳細な説明】
【技術分野】
【０００１】
本発明は、上面の前端近傍に幅方向に延びる溝が形成された商品陳列棚の棚板の該溝に下方に向けて端部を有する支持片の該端部が挿入されることによって前記商品陳列棚に固定される商品表示具に関するものである。
【背景技術】
【０００２】
スーパーマーケットやデパートなどの量販店において、陳列されている商品についての商品内容を表示するものとして、例えば、図５に示す商品表示具５０などがあり、この商品表示具５０は、上面の前端近傍に幅方向に延びる溝５８が形成された商品陳列棚５４の棚板５６に固定されるよう構成されている。すなわち、この商品表示具５０は、下方に向けて端部を有する支持片５２が形成されており、この支持片５２の端部が棚板５６の溝５８に挿入されることによって前記商品陳列棚５４に固定されるよう構成されている（例えば、特許文献１）。
【特許文献１】実用新案登録第３１３５５４２号
【発明の開示】
【発明が解決しようとする課題】
【０００３】
しかしながら、支持片５２の端部を抜き差しすることを重ねると、例えば、溝５８が広がり、図６に示されるように、棚板５６上からの商品の出し入れなどの商品陳列作業時に、商品が商品表示具５０に当たり商品表示具５０に前方向の力６０が加わることにより、支持片５２は前方向にたわみ、溝５８から抜け落ちやすくなるという問題がある。
【０００４】
そこで、本発明は、商品が当たった際に商品表示具が商品陳列棚から抜け落ちるのを可及的に防止する商品表示具を提供することを目的とする。
【課題を解決するための手段】
【０００５】
上記の目的を達成するため、本発明に係る商品表示具は、上面の前端近傍に幅方向に延びる溝が形成された商品陳列棚の棚板の該溝に下方に向けて端部を有する支持片の該端部が挿入されることによって前記商品陳列棚に固定される商品表示具において、前記支持片の前記溝に挿入される部分の後方側には、支持片の素材よりも軟質な素材から構成された突起が形成されていることを特徴とする。
【０００６】
以上のように、本発明に係る商品表示具によれば、商品表示具の後方から商品が当たると、支持片の挿入している部分は、後方に揺動し、その際に支持片の後方側に形成された突起は、溝の後方側の面に当たるが、その際、突起は、支持片の素材よりも軟質な素材から構成されているので、変形することによってその動作を吸収して商品表示具が商品陳列棚から抜け落ちるのを可及的に防止する。
【０００７】
本発明においては、前記突起は、下方に向かって先細りとなるテーパ面を有することが好ましく、これにより、棚板の溝に支持片を挿入するのが容易になる。
【発明の効果】
【０００８】
以上のように、本発明によれば、商品が当たった際に商品表示具が商品陳列棚から抜け落ちるのを可及的に防止する商品表示具を提供することができる。
【図面の簡単な説明】
【０００９】
【図１】本発明に係る商品表示具の実施例の斜視図である。
【図２】本実施例に係る商品表示具が商品陳列棚に固定される状態を示す右側面断面図である。
【図３】支持片の挿入される部分の右側面拡大断面図である。
【図４】本実施例に係る商品表示具が商品陳列棚に固定された状態を示す右側面断面図である。
【図５】従来の商品表示具が商品陳列棚に固定された状態を示す右側面断面図である。
【図６】従来の商品表示具に、前方向の力が加わった状態を表す図５に対応する図である。
【発明を実施するための最良の形態】
【００１０】
次に、本発明に係る商品表示具の実施例を図面に基づいて説明する。図１は、本実施例に係る商品表示具の斜視図、図２は、本実施例に係る商品表示具が商品陳列棚に固定される状態を示す右側面断面図、図３は、支持片の挿入される部分の右側面拡大断面図、図４は、本実施例に係る商品表示具が商品陳列棚に固定された状態を示す右側面断面図である。
【００１１】
本実施例に係る商品表示具１０は、その前面側に設けられるとともに、幅方向に延びる帯状に形成された商品表示具本体１６と、商品表示具本体１６を商品陳列棚３８の棚板４０に対して支持固定する支持片１８と、を備え、商品表示具本体１６は、その上段側に形成され、商品の情報等を示すカードを挟持可能なカード挟持部１２と、その下段側に形成され、商品の情報等を示す液晶のＰＯＰ表示部１３（図３参照）を保持可能な保持部１４と、を備えている。
【００１２】
カード挟持部１２は、幅方向に延びる帯状に形成され、板状の商品カードの背面側を支持するカード支持板２４と、カード支持板２４と同様に幅方向に延びる帯状に形成されるとともに、カード支持板２４の前面側に設けられて、板状の商品カードの前面側に当接してカード支持板２４とともに板状の商品カードを挟持する押え板２２と、を備え、これらカード支持板２４と押え板２２は、一方の下端を上方へ折り返し、上方が開口して挟持する商品カードを挿入して挟持するように一体に形成されている。カード支持板２４の内側の上端近傍には、内側に突出する山なり部２７が形成されており、この山なり部２７により挿入されたカードが抜け落ちるのを防止することができる。カード押さえ板２２は、後述のように透明な素材から構成されているので、挿入されたカードは、外側から認識可能である。
【００１３】
保持部１４は、カード挟持部１２と同様に幅方向に延びるとともに、前方側に開口する断面コの字状に形成されている。保持部１４の断面コの字の上面には、下方に突出する上部突出片２８が幅方向に延びて形成され、その下面には、上方に突出する下部突出片３０が幅方向に延びて形成されており、断面コの字の開口部３２（図２参照）に直方体状のＰＯＰ表示部１３（図４参照）が挿入された際に、これら上部突出片２８及び下部突出片３０がＰＯＰ表示部１３と係合して保持するように構成されている。上部突出片２８は、他の箇所よりも軟質な素材によって構成されている。
【００１４】
支持片１８は、カード支持板２４の上端から後方に屈曲する屈曲部３３、及び屈曲部３３から後方に延びる接続部１５を介して配置され、接続部１５の後端から屈曲して下方に延在している。支持片１８は、その下端及びその近傍が商品陳列棚３８の棚板４０の上面の前端近傍に形成された溝４２に挿入可能に構成されており、その溝４２に挿入する部分１８Ａの前方側には、幅方向に延びる断面半円状の突起１９が形成されており、後方側の突起１９よりも下方の位置には、突起２０が形成されている。突起２０は、支持片１８などの素材よりも軟質な素材から構成されており、下方に向かって先細りとなる平面状のテーパ面２１を有している。このテーパ面２１により、商品陳列棚３８の棚板４０に形成されている溝４２に容易に挿入することができる。突起１９と突起２０のそれぞれの頂点を通る支持片１８の面と平行な面の間隔は、溝４２よりも若干広く形成されており、このため、支持片１８は、突起２０が溝４２の後方側の面に押圧された状態で溝４２に挿入され、突起２０が挿入された部分１８Ａの揺動を吸収するよう構成されている。また、支持片１８の挿入する部分１８Ａの上端には、幅方向に延在するフランジ３４が前方及び後方に突出しており、このフランジ３４によって支持片１８の挿入を規制するとともに、商品表示具本体１６の支持を安定させることができる。
【００１５】
本発明に係る商品表示具１０において、突起２０、上部突出片２８及び屈曲部３３以外の部分は、ＰＥＴなどの比較的硬質な合成樹脂から構成され、突起２０、上部突出片２８及び屈曲部３３は、その比較的硬質な合成樹脂と接着性に優れたエラストマーなど柔軟な素材で構成されており、これらは、二色成型によって一体成型される。
【００１６】
本発明に係る商品表示具１０において、商品表示具本体１６は、上段側にカード挟持部１２、下段側に保持部１４を備えているが、商品の情報等を示すカードや液晶表示が可能なものであれば、どのような構成であってもよく、いずれか一方のみを表示する構成であっても良い。
【符号の説明】
【００１７】
１０・・・商品表示具
１２・・・カード挟持部
１４・・・保持部
１６・・・商品表示具本体
１８・・・支持片
２０・・・突起
２１・・・テーパ面
３８・・・商品陳列棚
４０・・・棚板
４２・・・溝
【図１】
2011115616.tif 000003
【図２】
2011115616.tif 000004
【図３】
2011115616.tif 000005
【図４】
2011115616.tif 000006
【図５】
2011115616.tif 000007
【図６】
2011115616.tif 000008